(57)【要約】【課題】浴室１１内に風呂リモコン３と浴室子機５とが隣接もしくは一体となって設置されている場合、浴室子機５を用いてインターホン機能により通話している状態で、給湯装置２１から風呂リモコン３に対して音声信号が送信された場合、その音声信号によって風呂リモコン３から発音がされると通話の邪魔になる。【解決手段】インターホン機能により通話がされている間は給湯装置２１から音声信号が送られてきても通話が終了するまで発音を遅延させるようにした。また、その遅延時間が所定時間を超えると発音させないようにした。【選択図】  図１
2004309061.tif 000002
【特許請求の範囲】
【請求項１】
浴室内に取り付けられ、給湯装置の作動を制御すると共に、給湯装置の作動状況を音声として発音する風呂リモコンであって、インターホンの親機に接続された浴室子機からインターホン機能が作動していることを示す制御信号が入力されるものにおいて、浴室子機を用いてインターホン機能が作動している状態では上記給湯装置の作動状況を示す発音をインターホン機能の終了まで遅延させることを特徴とする風呂リモコン。
【請求項２】
上記遅延させる時間が所定時間を超えると発音を中止することを特徴とする請求項１に記載の風呂リモコン。
【請求項３】
予め設定された緊急事態を示す音声はインターホンの使用状況の如何に関わらず強制的に発音させることを特徴とする請求項１または請求項２に記載の風呂リモコン。
【発明の詳細な説明】
【０００１】
【発明の属する技術分野】
本発明は、インターホンの浴室子機から制御信号が入力される風呂リモコンに関する。
【０００２】
【従来の技術】
一般に給湯装置は浴室以外の屋外に設置されている。入浴中に浴室内から給湯装置の作動を制御する必要があるので、浴室には給湯装置の作動を制御するためのリモコンが設置されている。また、近年入浴中にテレビ画像を見ることについての要求が高まっており、浴室内にテレビ装置を設置する例が増加している。
【０００３】
さらに、上記の風呂リモコンとテレビ装置を別個に設置するのではなく、リモコンとしての機能とテレビ装置としての機能を併せ持った風呂リモコンが知られている（例えば、特許文献１参照）。
【０００４】
この風呂リモコンでは、給湯装置の作動状況を音声で知らせる機能が付加されている場合がある。例えば自動湯張りをする際に、湯張り完了の５分前に「あと５分で湯張りが完了する」旨の音声を発音して、使用者に湯張り完了までの時間を知らせている。
【０００５】
一方、玄関にテレビカメラを備えた玄関子機を設置し、室内のインターホンの親機で訪問者を画像でチェックするインターホンが知られている。このインターホンを用いて訪問者を確認し、家族や友人であれば室内から玄関のロックを解除するロック解除機能を備えている場合がある。
【０００６】
ただし、訪問者が来訪したときに家人が誰もおらず入浴中であれば来訪者を確認することができない。そのため、浴室に浴室子機を設置し、玄関子機で撮像された画像をこの浴室子機を介して風呂リモコンが受信し、風呂リモコンの液晶モニターにこの玄関子機で撮像された画像を表示するようにしたシステムが知られている（例えば、特許文献１参照）。
【０００７】
【特許文献１】
特開２０００−２９２００１号公報（段落番号００１１、図１）
【０００８】
【発明が解決しようとする課題】
浴室子機を用いてインターホン機能を作動させている状態、すなわち浴室子機と玄関子機等の他の子機や親機との間で会話している状態で風呂リモコンから音声の発音があると、浴室子機から発音される他の者の声が聞き取りにくいという不具合が生じる。また、浴室子機から他の子機や親機に音声信号を送信中に風呂リモコンから発音があると、その発音が浴室子機を介して他の子機や親機に送信され、浴室子機に話しかけた音声が他の子機や親機で聞き取りにくくなるという不具合が生じる。
【０００９】
そこで本発明は、上記の問題点に鑑み、上述のような不具合の生じない風呂リモコンを提供することを課題とする。
【００１０】
【課題を解決するための手段】
上記課題を解決するために本発明による風呂リモコンは、浴室内に取り付けられ、給湯装置の作動を制御すると共に、給湯装置の作動状況を音声として発音する風呂リモコンであって、インターホンの親機に接続された浴室子機からインターホン機能が作動していることを示す制御信号が入力されるものにおいて、浴室子機を用いてインターホン機能が作動している状態では上記給湯装置の作動状況を示す発音をインターホン機能の終了まで遅延させることを特徴とする。
【００１１】
インターホンの作動を優先させ、インターホン機能が作動している状態では風呂リモコンから発音を行わないようにした。なお、インターホン機能が停止すれば風呂リモコンからの発音を行うが、遅延時間が所定時間を超えると、かえって風呂リモコンから発音しない方がよい状況になる。そこで、上記遅延させる時間が所定時間を超えると発音を中止するようにした。
【００１２】
ただし、予め設定された緊急事態を示す音声はインターホンの使用状況の如何に関わらず強制的に発音させることが望ましい。
【００１３】
【発明の実施の形態】
図１を参照して、１は戸建ての家屋である。この家屋１には給湯装置２１を中心に構成された給湯装置制御系統２と、インターホン親機４１を中心に構成されたインターホン系統４とが設置されている。
【００１４】
家屋１には浴室１１、台所兼居間１２、個室１３が設けられている。浴室１１には本発明による風呂リモコン３が設置されており、この風呂リモコン３は通信線３１を介して給湯装置２１に接続されている。また、給湯装置２１には台所兼居間１２に設置された台所リモコン２２が接続されている。
【００１５】
一方、インターホン親機４１にはテレビカメラを備えた玄関子機４２が接続されている。また、個室１３に設置された子機４３，４４がインターホン親機４１に接続されている。このインターホン親機４１にはさらに浴室子機５が通信線５１を介して接続されている。
【００１６】
なお、図１では戸建ての家屋に給湯装置制御系統２とインターホン系統４とを設けた実施の形態を示したが、マンション等の集合住宅に設置してもよい。なお、その際には、玄関子機４２はマンションの玄関部分に設置される。
【００１７】
ところで、浴室１１の天井部分には人体センサ７が取り付けられている。この人体センサ７は浴室１１内を撮像し人体の位置を解析するものである。そして、人体の位置が所定時間以上動かないと判断すると、人体センサ７から浴室１１内に、移動を促すメッセージが発音される。そして、この発音がされても人体が動かない場合には、緊急信号が給湯装置２１に発信され、風呂リモコン３および台所リモコン２２から、緊急メッセージが発音される。
【００１８】
また、この緊急信号は風呂リモコン３から浴室子機５を介してインターホン親機４１に送信される。すると、このインターホン親機４１は家屋１内の他の子機４３，４４に信号を送信し、これら子機４３，４４から緊急メッセージを発音させるように構成されている。
【００１９】
図２を参照して、風呂リモコン３には液晶モニタ３２が取り付けられている。また、この風呂リモコン３内には上記給湯装置２１の作動を制御するためのリモコン部が内蔵されている。さらに、液晶モニタ３２にテレビ画像を表示させるためのテレビ部が内蔵されている。
【００２０】
テレビ部を作動させるための電源スイッチ３３が設けられており、この電源スイッチ３３を押すと液晶モニタ３２のバックライトが点灯し、さらにテレビ部から出力されるテレビ画像が液晶モニタ３２に映し出される。
【００２１】
一方、リモコン部を作動させるための電源スイッチ３４が設けられており、この電源スイッチ３４を押すとリモコン部の作動が開始される。ところで、上記台所リモコン２２にも電源スイッチ２２ａ（図１参照）が設けられており、電源スイッチ３４および電源スイッチ２２ａのいずれを押しても、風呂リモコン３のリモコン部と台所リモコン２２との双方の電源が入り、リモコンとしての作動が開始される。
【００２２】
ところで、風呂リモコン３のリモコン部およびテレビ部の双方とも電源が入っていない状態で、電源スイッチ３３を押せば上記のように液晶モニタ３２にはテレビ画像が表示され、電源スイッチ３４または電源スイッチ２２ａを押せば液晶モニタ３２にはリモコン用の表示がされる。
【００２３】
次に、液晶モニタ３２にテレビ画像が表示されている状態で、かつリモコン部に電源が入っていない状態で電源スイッチ３４が押されると、リモコン部の電源が入ると共に液晶モニタ３２の表示はリモコン用の表示に切り変わる。
【００２４】
このように、リモコン部とテレビ部との双方とも電源が入っていると、次に電源スイッチ３３が押されると液晶モニタ３２の表示はテレビ画像に戻り、その後電源スイッチ３４が押されるとリモコン用に表示に戻るように構成されている。なお、その状態で続けて電源スイッチ３４を押せばリモコン部の電源が切れるようにした。同じくテレビ画像が表示されている状態で電源スイッチ３３を押せばテレビ部の電源が切れるようにした。３５は左右１対のスピーカであり、３６は各種設定用の十字キーである。
【００２５】
浴室子機５が外部から呼ばれると、ブザー音がスピーカ５４から発音される。すると、通話スイッチ５２を押しながらしゃべった内容がマイク５３で電気信号に変換され、他の子機もしくは親機４１に送信される。なお、５６は呼出スイッチであり、浴室子機５から例えばインターホン親機４１や子機４３，４４を呼び出す際に押すと相手側に呼び出し音が発音される。
【００２６】
ところで、風呂リモコン３と浴室子機５とは、３本のラインで接続されている。６１は玄関子機４２のカメラで撮像された画像を浴室子機５から風呂リモコン３へ送信するためのラインである。また、６２は給湯装置２１の作動状態を示す音声信号を風呂リモコン３側から浴室子機５へと送信するためのラインである。そして、６３は相互に制御信号を送受信するためのラインである。
【００２７】
５５はモニタスイッチであり、このモニタスイッチ５５を押すと玄関子機４２で撮像された画像が風呂リモコン３に出力されると共にその画像を液晶モニタ３２に表示させる制御信号が風呂リモコン３に送信され、玄関の画像が液晶モニタ３２に映し出される。なお、５７は玄関のロックを開錠および施錠するための施開錠スイッチである。
【００２８】
図２では風呂リモコン３と浴室子機５とを上下に離間して示したが、実際には両者の間に隙間を設けないように設置することによりデザイン上の一体感を出してもよく、あるいは風呂リモコン３と浴室子機５とを一体に作成してもよい。
【００２９】
図３を参照して、浴室子機５と例えば玄関子機４２との間でインターホン機能により会話が開始されると、インターホン機能が開始された旨の信号がライン６３を介して風呂リモコン３に送信される。すると、風呂リモコン３内のマイコンはタイマーをスタートさせ計時を開始する（Ｓ１）。インターホン機能により通話がされている間に給湯装置２１から、例えば湯張り完了まで５分前を知らせる音声信号が風呂リモコン３に送信されてくると、風呂リモコン３は通話が終了するまでその音声信号を発音させることを禁止する。そして、通話が終了すると、その音声信号をスピーカー３５から発音させるようにした（Ｓ２，Ｓ４）。
【００３０】
ただし、上記のタイマーの計時時間が所定の時間を超えるとタイムアップして、給湯装置２１から送られてきた音声信号を発音させないようにした。すなわち、例えば湯張り完了まで５分前である旨を知らせるメッセージが送られてきてから５分以上経過した時点では既に湯張りが完了しており、湯張りが完了しているのに湯張り満了までまだ５分かかる旨のメッセージを発音すると、使用者はかえって混乱するからである。
【００３１】
ところで、風呂リモコン３内には図示しないが、給湯装置２１から送られてきた音声信号を一時的に記憶するメモリを備えており、通話が終了して発音する際にはそのメモリ内に記憶されている音声信号を再生し（Ｓ４）、所定時間経過した時点でメモリを消去するようにした（Ｓ５）。
【００３２】
なお、インターホン機能により通話中は上述のようにスピーカ３５からの発音を禁止するが、上記人体センサ７から緊急信号が発信された場合には、通話中であっても緊急メッセージがスピーカ３５から発音されるようにした。
【００３３】
【発明の効果】
以上の説明から明らかなように、本発明は、浴室子機を用いてインターホン機能により通話している間は風呂リモコンから音声が発音されないようにしたので、インターホン機能による通話が、風呂リモコンからの発音によって邪魔されることがない。
【図面の簡単な説明】
【図１】本発明の一実施の形態の構成を示す図
【図２】風呂リモコンと浴室子機との関係を示す図
【図３】発音の許否を示すフロー図
【符号の説明】
１  家屋
２  給湯装置制御系統
３  風呂リモコン
４  インターホン系統
５  浴室子機
７  人体センサ
１１  浴室
１２  台所兼居間
２１  給湯装置
２２  台所リモコン
４１  インターホン親機
４２  玄関子機
【図１】
2004309061.tif 000003
【図２】
2004309061.tif 000004
【図３】
2004309061.tif 000005